(57)【特許請求の範囲】
【請求項１】
第１の基板と第２の基板とを接続する基板間接続コネクタにおいて、上記コネクタはハウジングと、ハウジング内に回動可能に取り付けられる複数のコンタクトとを備え、上記コンタクトはバネ性を有する１枚の金属板から形成され胴体部と、上記胴体部より下方に突出し上記第１の基板に接触する第１の接触部と、上記胴体部より上記ハウジングの上面に突出し上記第２の基板との当接により上記コンタクトを回動する第２の接触部と、上記胴体部から上記第１の接触部に対向して下方へ延出し、上記コンタクトの回動により上記第１の基板に当接して弾性変形する弾性舌片からなり、上記弾性舌片の弾性復帰力によって上記第１及び第２の基板に第１及び第２の接触部を弾接させることを特徴とする基板間接続コネクタ。
【請求項２】
上記ハウジング内で上記コンタクトを回動させるため、上記コンタクトを整列保持するコンタクト保持部を上記ハウジング内に回動可能に取り付けたことを特徴とする請求項１記載の基板間接続コネクタ。
【発明の詳細な説明】
【０００１】
【発明の属する技術分野】
本発明は基板間相互の接続に用いられる基板間接続コネクタに関するものである。
【０００２】
【従来の技術】
従来、二枚の基板間を互いに電気的に接続する基板間接続コネクタとしては、図６に示すものが知られている。
図６には基板間接続コネクタ１（以下コネクタという）を示すと共に、コネクタ１により接続される基板２，３を示している。コネクタ１は絶縁体１１と、絶縁体１１に配列され基板２，３間を接続する複数のコンタクト１２とを備えている。絶縁体１１は合成樹脂材によって略直方体形状に成形されたものであり、上記コンタクト１２を取り付ける貫通孔１１ａが基板２，３に形成されたパッド２ａ，３ａに対応して複数貫設されている。コンタクト１２は両端が開口した円筒状のホルダー１２ａと、ホルダー１２ａの両端にそれぞれ摺動自在に取り付けられる接触部１２ｂ，１２ｂと、接触部１２ｂ，１２ｂを弾発付勢するスプリング１２ｃとを備えている。コンタクト１２を組み立てる際はホルダー１２ａ内にスプリング１２ｃを挿入し、接触部１２ｂ，１２ｂをホルダー１２ａの両端開口に装着した後、開口端を内方へ折り曲げることにより、接触部１２ｂ，１２ｂがスプリング１２ｃに付勢され、先端側の接点部１２ｄをホルダー１２ａの両端から外方へ突出させて組み込まれる。
【０００３】
上記コンタクト１２を絶縁体１１に取り付ける際は、絶縁体１１の上下面から接触部１２ｂの接点部１２ｄを突出させて圧入等により貫通孔１１ａに固定される。次に基板２，３間を上述したコネクタ１を用いて接続するには、一方の基板２のパッド２ａに絶縁体１１の下面側から突出する接点部１２ｄを、他方の基板３のパッド３ａに絶縁体１１の上面から突出する接点部１２ｄを接触させることにより、両基板２，３の対応するパッド２ａ，３ａ同士がコンタクト１２を介して電気的に接続される。
【０００４】
【発明が解決しようとする課題】
ところで、上述した従来のコネクタ１では基板２，３のパッド２ａ，３ａに、コンタクト１２の接点部１２ｄを安定した接触圧で接触させるため、スプリング１２ｃを長くして充分な変位能力を持たせるようにしなければならなかった。この様にスプリング１２ｃを長くするとコンタクト１２の全長寸法、即ち、基板２，３に接触する接点部１２ｄ，１２ｄ間の導電路が長くなってしまい基板間の高速信号の伝達に対応できなかった。又、コンタクト１２にスプリング１２ｃを組み込んだ構造では、電気的特性も自由に調節できず高周波特性を悪化させると共に、コンタクト１２の断面形状が円形になるため、コンタクトの配列ピッチを小さくできなかった。
【０００５】
本発明は上述したような欠点を解決する為になされたものであって、コンタクトの導電路を短かくしても基板にコンタクトを安定した接触圧で接触させることができ、電気的特性を向上させると共にコンタクトの配列ピッチをも小さくできる基板間接続コネクタを提供する。
【０００６】
【課題を解決する為の手段】
本発明は第１の基板と第２の基板とを接続する基板間接続コネクタにおいて、上記コネクタはハウジングと、ハウジング内に回動可能に取り付けられる複数のコンタクトとを備え、上記コンタクトはバネ性を有する１枚の金属板から形成され胴体部と、上記胴体部より下方に突出し上記第１の基板に接触する第１の接触部と、上記胴体部より上記ハウジングの上面に突出し上記第２の基板との当接により上記コンタクトを回動する第２の接触部と、上記胴体部から上記第１の接触部に対向して下方へ延出し、上記コンタクトの回動により上記第１の基板に当接して弾性変形する弾性舌片からなり、上記弾性舌片の弾性復帰力によって上記第１及び第２の基板に第１及び第２の接触部を弾接させたものである。
【０００７】
この様に本発明では、上記コンタクトの第１の接触部と弾性舌片との間に上記第１の基板を挿入した後、上記第２の接触部に上記第２の基板を押し当て上記コンタクトを回動することによって、上記弾性舌片を上記第１の基板に当接し弾性変形させ、その弾性復帰力により上記第１及び第２の接触部を第１及び第２の基板に弾接させている。この様に本発明に用いられるコンタクトは従来例に示したスプリングの代りになる上記弾性舌片を上記第１の接触部と並列に延出しているため、上記弾性舌片を長くして変位能力を高めても従来例に比べ、上記第１及び第２の接触部間を結ぶ導電路を短くできる。又上記コンタクトは板材を打ち抜くことによって上記第１及び第２の接触部と弾性舌片とを同一平面に形成しているため、コンタクトを板厚方向に配列することによりコンタクト間のピッチも小さくできる基板間接続コネクタが得られる。
【０００８】
【実施例】
以下、本発明の実施例を図面を用いて説明する。
図１は本発明の実施例を示す断面図であり、図２はコンタクトの正面図を示したものである。
本発明のコネクタ４はハウジング４１と、ハウジング４１内に回動可能に取り付けられるコンタクト保持部４２と、コンタクト保持部４２に配列される複数のコンタクト４３からなる。ハウジング４１は合成樹脂材により直方体状に形成されたものであり、上面側にはコンタクト保持部４２が回動可能に取り付けられる空間部４１ａを開口し、下面側には接続される両基板のうち、第１の基板５側を挿入する案内孔４１ｂが空間部４１ａに連通するように形成されている。コンタクト保持部４２は合成樹脂材によって成形されたものであり、水平に延びる水平部４２ａと、水平部４２ａの一端から水平部４２ａに対し直角下方に延びる垂直部４２ｂとによって断面Ｌ字状に形成される。水平部４２ａ及び垂直部４２ｂには、基板に形成されたパッドの配列ピッチに対応して複数の溝４２ｃが並設されている。溝４２ｃは水平部４２ａの一端側上面及び側面に開口すると共に下面側に開口する溝４２ｄと、溝４２ｄに連続して垂直部４２ｂ側に設けられた溝４２ｅからなる。又、溝４２ｃの配列方向におけるコンタクト保持部４２ａの両側面には、ハウジング４１の空間部４１ａ内にコンタクト保持部４２ａを回動可能に取り付けるための軸部４２ｆを突設している。コンタクト４３はバネ性を有する金属板を打ち抜くことによって、図２に示す如く長方形状に形成された胴体部４３ａの長手方向の一端側に、第１の基板５に接触する第１の接触部４３ｂを下方に突出し、他端側には第２の基板６に接触する第２の接触部４３ｃを上方に向けて突設している。
【０００９】
又、第１及び第２の接触部４３ｂ，４３ｃ間には、細長い弾性舌片４３ｄが第１の接触部４３ｂに対向しつつ下方に延出している。上記胴体部４３ａ、第１及び第２の接触部４３ｂ，４３ｃ及び弾性舌片４３ｄは同一平面に形成され、第１の接触部４３ｂには弾性舌片４３ｄ側に円弧状に突出する接点４３ｅを、又、第２の接触部４３ｃには上方に突出する接点４３ｆを設けると共に、弾性舌片４３ｄの先端には第１の接触部４３ｂ側に突出する突起４３ｇを設けている。
【００１０】
上述したコンタクト４３をコンタクト保持部４２に取り付ける際は、第１の接触部４３ｂがコンタクト保持部４２ａの垂直部４２ｂ側の溝４２ｅに、胴体部４３ａが水平部４２ａの溝４２ｄに圧入等によって固定される。これにより、コンタクト４３は第１の接触部４３ｂの接点４３ｅを垂直部４２ｂの溝４２ｅから、又、第２の接触部４３ｃの接点４３ｆを水平部４２ａの一端側上面よりそれぞれ突出させると共に、弾性舌片４３ｄを水平部４２ａの下面から延出させてコンタクト保持部４２に取り付けられる。次にコンタクト保持部４２は、弾性舌片４３ｄ及び第１の接触部４３ｂが突出する側からハウジング４１の空間部４１ａ内に挿入され、軸部４２ｆを空間部４１ａの内壁に設けられた凹部（図示せず）に嵌合し回動可能に取り付けられる。以上の如く組み立てられたコネクタ４によって第１及び第２の基板５，６間を接続するには、先ず、第１の基板５がパッド５ａを配列した面を第１の接触部４３側に向けてハウジング４１内に案内孔４１ｂより挿入される。更に、第１の基板５は案内孔４１ｂを通って空間部４１ａ内に入り、弾性舌片４３ｄと第１の接触部４３ｂ間に位置されパッド５ａを接触部４３ｂに接触させた状態でハウジング４１にねじ止め等により固定される。次いで、図３に示す如く第２の基板６がパッド６ａを配列した面を下方に向けてハウジング４１の上面に重ね合わされ、パッド６ａを第２の接触部４３ｃに接触させる。尚も、第２の基板６をハウジング４１の上面側に接近させると、コンタクト保持部４２が第２の基板６に押圧され、第１の接触部４３ｂの接点４３ｅを第１の基板５のパッド５ａ面に摺接させつつ軸部４２ｆを支点に傾倒し、これにより、コンタクト保持部４２の下面より延出する弾性舌片４３ｄが第１の基板５の背面側に当接する。更に、第２の基板６を弾性舌片４３ｄのばね力に抗して押し下げることにより、弾性舌片４３ｄが弾性変形し第１及び第２の基板５，６のパッド５ａ，６ａと第１及び第２の接触部４３ｂ，４３ｃとを、弾性舌片４３ｄの弾性復帰力による接触力で接触させ、第１及び第２の基板５，６間を電気的に接続する。
【００１１】
次に、図４及び図５には本発明の第２の実施例を示している。
即ち、第１の実施例では第１及び第２の基板５，６を互いに直交させて接続したものを示したが、これに対し、第２の実施例のコネクタ７は第１及び第２の基板５，６を平行に接続したものである。この為、コンタクト７１は図に示す如く、第１の接触部４３ｂを突出させた胴体部７１ｂの一端側に、第２の基板６に接触する第２の接触部７１ａを上方に向けて突出し、この第２の接触部７１ａの先端に第１の接触部４３ｂの接点４３ｅと反対方向に突出する接点７１ｃを設けている。上記コネクタ７により基板５，６間を接続するには、第１の実施例と同様、ハウジング４１内に第１の基板５を挿入し第１の接触部４３ｂにパッド５ａを接触させた後、第２の基板６が第１の基板５と平行にして矢印Ａ方向に移動され、図５に示す如くパッド６ａを第２の接触部７１ａに当接させる。更に、第２の基板６を移動してコンタクト保持部７２を押圧しコンタクト保持部７２を傾倒させることにより、弾性舌片４３ｄが第１の基板５に当接し弾性変形され、その弾性復帰力により第１及び第２の基板５，６のパッド５ａ，６ａに第１及び第２の接触部４３ｂ，７１ａを弾接させる。尚、上記実施例では、コンタクト４３，７１がコンタクト保持部４２，７２を介してハウジング４１に回動可能に取り付けられたものを示したが、ハウジング４１の内壁面にコンタクトの配列ピッチに対応して複数の隔壁を設け、隔壁とコンタクトに凸部又は凹部を形成し、凸部と凹部の係合により隔壁間にコンタクトを回動可能に取り付けることもできる。
【００１２】
【発明の効果】
以上、実施例により説明した如く本発明では、コンタクトから互いに対向して下方に延びる弾性舌片と第１の接触部との間に第１の基板を挿入した後、第２の基板をコンタクトから上方に突出する第２の接触部に当接させ、第１の基板に接近する方向に移動することでコンタクトを傾倒し、弾性舌片を第１の基板との当接により弾性変形させ、第１及び第２の基板と第１及び第２の接触部間に接触力を生じさせるものである。この様に、本発明はコンタクトに従来例で示したスプリングの代りになる弾性舌片を、上記第１の接触部に対向して並列に設けたことにより、弾性舌片を長くして変位能力を高めても従来例の様にコンタクトの接触部間を結ぶ導電路が長くならず、電気的特性、特に高周波特性を向上させることができる。又、コンタクトは板材を打ち抜くことにより、第１及び第２の接触部と弾性舌片とを同一平面に形成されるため、コンタクトを板厚方向に配列することによってコンタクト間のピッチを従来よりも小さくできる基板間接続コネクタを提供する。
【図面の簡単な説明】
【図１】本発明の実施例を示す断面図。
【図２】本発明のコンタクトを示す正面図。
【図３】本発明のコネクタにより基板間を接続した状態を示す断面図。
【図４】本発明の他の実施例を示す断面図。
【図５】図４のコネクタによって基板間を接続した状態を示す断面図。
【図６】従来例を示す断面図。
【符号の説明】
４    基板間接続コネクタ
４１    ハウジング
４２    コンタクト保持部
４３    コンタクト
４３ａ    胴体部
４３ｂ    第１の接触部
４３ｃ    第２の接触部
４３ｄ    弾性舌片
５    第１の基板
６    第２の基板
【図１】
0003900393.tif 000002
【図２】
0003900393.tif 000003
【図３】
0003900393.tif 000004
【図４】
0003900393.tif 000005
【図５】
0003900393.tif 000006
【図６】
0003900393.tif 000007